(57)【要約】【課題】  広告主が効果的に広告を打つことができ、またゴルフ場においてはスコアカード作製に関する経費を削減することができるようにする。また記録用紙であるゴルフ用スコアカードに、ゴルフに関する諸々の情報をゴルフ場利用者に伝える媒体として機能させ、さらに装飾効果を付与して付加価値を高める。【解決手段】  ゴルフのスコア記入欄を有するスコアカード１０について、折り畳み可能なカード用紙１１の中面１２にスコア記入欄１３と当該ゴルフ場のデータ欄１４を設け、その他の部分には広告１６、１６ａ…を掲載した構成を有しており、広告１６、１６ａ…は、広告主が取り扱う、ゴルフに関する諸事の告知、紹介、案内その他の情報から成る構成を具備する。【選択図】          図１
0003113545.tif 000002
【実用新案登録請求の範囲】
【請求項１】
ゴルフのスコア記入欄を有するカードであって、折り畳み可能なカード用紙の中面にスコア記入欄と当該ゴルフ場のデータ欄を設け、その他の部分に広告を掲載した構成を有しており、広告は、広告主が取り扱う、ゴルフに関する諸事の告知、紹介、案内その他の情報から成ることを特徴とするゴルフ用スコアカード。
【請求項２】
広告は、広告主が関係するゴルフ場のネットワーク情報、イベントの告知、ゴルフコンペの参加者募集、ゴルフパックツアー情報及び選択しうるオプション、宿泊施設の紹介、宅配便の案内、メーカータイアップ製品情報等から成る請求項１記載のゴルフ用スコアカード。
【請求項３】
カード用紙をカバーする透明ケースを併用することにより、広告が透明ケースで覆われ装飾されている請求項１又は２記載のゴルフ用スコアカード。
【請求項４】
透明ケースは、プラスチックシートより成る折り畳み構造を有し、両端に位置する面の内側に、カード用紙の両端部の少なくとも一方又は両方を差し込める係止部を設け、その係止部を設けた部分に関連してカード類、鉛筆等の差し込み部を設けた構成を有している請求項３記載のゴルフ用スコアカード。
【考案の詳細な説明】
【技術分野】
【０００１】
本考案はゴルフのスコア記入欄を有するカードに関するものである。
【背景技術】
【０００２】
ゴルフのスコアカードは、ゴルフ場毎にホール数や各ホールの距離等が異なるため、１種類のスコアカードを複数のゴルフ場で共同使用するということは現実的ではない。サイズや、共通事項を統一することは実現可能であるように思われるがメリットは少なく、カードケースホルダーはゴルフ場毎に異なるので使用できなくなるゴルフ場があり、そのようなゴルフ場は新たにカードケースホルダーを用意しなければならず、負担となる。
【０００３】
スコアカードに広告を掲載し、スコアカードの製作にかかる費用の一部を広告主に負担してもらうというアイデアもあり、例えば実開平３−１０３７６５号のものは、三つ折り可能な用紙の一面に表紙と裏表紙及び宣伝、広告欄を設け、用紙の他面にスコア記入欄他を印刷することを提案している。また特開２０００−６２３５２号のものも同様に三つ折り型のもので、中央頁に広告掲載欄を設けている。
【０００４】
しかしこれら従来のものは、広告掲載欄がプレイヤーの競技に邪魔にならないとして
も、ゴルフスコアカードとしての便利さが増すという因果関係にはなく、プレイヤーにとって利益がどれだけあるかについては疑問が残る。また単に広告掲載欄を設けることはゴルフ用スコアカードに限らず行われており、それ自体格別のことという訳ではない。
【０００５】
【特許文献１】実開平３−１０３７６５号
【特許文献２】特開２０００−６２３５２号
【考案の開示】
【考案が解決しようとする課題】
【０００６】
本考案は前記の実情に着目してなされたものであり、その課題は、広告主が効果的な広告を打つことができ、またゴルフ場においてはスコアカード作製に関する経費を削減することができるようにすることである。また本考案の他の課題は、単なる記録用紙としてしか扱われてこなかったゴルフ用スコアカードに、ゴルフに関する諸々の情報をゴルフ場利用者に伝える媒体としての機能を持たせ、また装飾効果を与えることにより付加価値を高めることである。
【課題を解決するための手段】
【０００７】
前記の課題を解決するため、本考案は、ゴルフのスコア記入欄を有するカードについ
て、折り畳み可能なカード用紙の中面にスコア記入欄と当該ゴルフ場のデータ欄を設け、その他の部分に広告を掲載した構成を有しており、広告は、広告主が取り扱う、ゴルフに関する諸事の告知、紹介、案内その他の情報から成る構成を具備するものという手段を講じたものである。
【０００８】
カード用紙は、折り畳み可能な構造を有するものであり、その中面にスコア記入欄とゴルフ場のデータ記載欄が配置されている。スコア記入欄は、そのゴルフ場のコースの各ホール毎の距離と標準所要打数（パー）を印刷し、かつプレイヤーのスコアの記入欄を設けたものである。ゴルフ場のデータ欄は、該当ゴルフ場の名称、住所、電話番号をプレイ日付、プレイヤー名、スコア確認者等とともに印刷したものである。つまり、これらはこれまでのゴルフ用スコアカードにも存在していた事項であり、言い換えれば、上記の事柄を内容として持っていたものをゴルフ用スコアカードと呼んでいるものである。
【０００９】
これに加えて、本考案では、中面にスコア記入欄等を設けた折り畳み可能なカード用紙のスコア記入欄等以外の部分に、広告を掲載した構成を有する。なお、中面は、カード用紙を折り目に沿って折り畳んだときに内側となる面、外面は外にあらわれる面である。主としてスコア記入欄、ゴルフ場のデータ記載が印刷されている中面は、使用時に開かれ
る。そしてカード用紙外面の広告は、広告主が取り扱う、ゴルフに関する諸々の事柄の告知、案内、その他の情報から成る。
【００１０】
より具体的にいえば、広告は、広告主が関係するゴルフ場のネットワーク情報、イベントの告知、ゴルフコンペの参加者募集、ゴルフツアー情報及び選択しうるオプション、宿泊施設の紹介、宅配便の案内、メーカータイアップ製品情報等から成る。例えば広告主が旅行業に属する場合、特定のゴルフ場（ゴルフクラブ）でプレイすることを主な目的とするゴルフツアー商品の広告、宿泊施設や食事のオプション、手ぶらで参加できることを知らせるゴルフ用具の宅配や送迎に関するサービス等は広告の主な内容となる。これらは単なる例示であり、例えば広告主がスポーツ用品製造業の場合には、ゴルフクラブやバッグを初めとするスポーツ用品、用具類の製品情報が広告の内容となり、さらに、それらの新製品等を試用できるゴルフ場、ゴルフ練習場の情報と共に、広告欄に告知することがで
き、その他広告の内容は多岐にわたるものである。
【００１１】
上記の構成を有するゴルフ用スコアカードは、カード用紙をカバーする透明ケースに収めて使用する形態を取ることができる。透明ケースにゴルフ用スコアカードを収めることにより、使用時に外面となる広告面が透明ケースで覆われるため、広告は透明プラスチックシートの美しい光沢を帯びて装飾的効果が一段と向上する。
【００１２】
さらに、透明ケースは、プラスチックシートより成る折り畳み構造を有し、両端に位置する面の内側に、カード用紙の両端部の少なくとも一方又は両方を差し込める係止部を設けることができる。透明ケースの係止部は、カード用紙の両端部の少なくとも一方を挟
み、固定するもので、係止部としてはポケット状、或いはバンド状その他任意の形状のものを適用することができる。
【考案の効果】
【００１３】
本考案は上記のように構成されかつ作用するものであるから、広告主は、該当する提携ゴルフ場や関連ゴルフ場を含むゴルフツアーやゴルフコンペなど、広告主にとって効果的な広告を打つ対象として本考案のゴルフ用スコアカードを採用することができ、かつまたゴルフ場としては、スコアカード作成費用を著しく削減可能であるという効果を奏する。また本考案によれば、従来、単なる記録用紙としてしか扱われてこなかったゴルフ用スコアカードに、ゴルフに関する諸々の情報をゴルフ場利用者に伝える媒体としての機能を持たせまた装飾効果を与えられることにより付加価値を高めることができる。
【考案を実施するための最良の形態】
【００１４】
以下図面を参照して本考案をより詳細に説明する。各図において、１０は、ゴルフのスコアカードである。カード用紙１１は中面１２に、スコア記入欄１３と当該ゴルフ場のデータ欄１４を有している。このスコアカード１０は四つ折り可能な折り畳み構造を有し、スコア記入欄１３は、その中面４面の内３面に印刷され、残る１面にゴルフ場の名称、住所、電話番号等の事項１４ａと、プレイ日時１４ｂ、プレイヤー名１４ｃ、スコア確認者１４ｄ等から成るデータ欄１４が印刷されている。
【００１５】
またカード用紙１１の外面（他面）１５には広告１６が印刷されている（図２参照）。例示の広告１６は、１ないし４の番号を付した、４箇所のゴルフ場に関する４件のゴルフツアーの広告１６ａ、１６ｂ、１６ｃ、１６ｄを含み、それらがゴルフツアーであることから命名した、「○△×ゴルフ」という商品名１６ｇとともに、外面１５の大部分の範囲にわたって設けられているものである。さらに広告１６には、夕食オプション１６ｈ、宿泊情報１６ｉ、送迎情報１６ｋ、宅配便利用情報１６ｍ、申し込み先１６ｎなどの事項が広告主１６ｐの表示とともに掲載されている。
【００１６】
４件のゴルフツアーの広告１６ａ、１６ｂ、１６ｃ、１６ｄには、広告１６の対象であるゴルフ場の写真、そのコースの特徴、必要経費、使用条件等が平日休日等利用日別の料金とともに掲載されているものとする。従って、この広告は、有効期限があり、それが過ぎると無効になる。なお、１８は折り線を示す。
【００１７】
さらに例示のゴルフ用スコアカード１０は、カード用紙１１をカバーする透明ケース１７を併用するもので、スコアカードの外面１５の広告欄は透明ケース１７のプラスチックシートの光沢により美しく装飾される。例示の透明ケース１７はプラスチックシートを加工して四つ折り可能としたもので、４等分の折り畳み面の左右両端の面の内側に、ポケット状に係止部１９、２１を設けている。データ欄１４を覆うことになるポケット２１は大きく、スコア記入欄１３を覆うことになるポケット１９は印刷部分にだけ重なり記入欄は露出させて、記入の都度カード用紙１１を引き出さずに済むように小さく設けている。
【００１８】
また、ポケット状の係止部１９、２１の大きい方２１には、カード類２２の差し込み部２３としてスリットを設けている。この差し込み部２３には鉛筆などの筆記具２４を差し込むことができる。さらに、上部には、キーホルダーや紐通し用の小孔２５を設けることができ、また、キーナンバーを数字又はバーコードなどで記載した紙片類２６を差し込む小ポケット２７、２次元バーコードのようなデータ２８などを設けることができる。この透明ケース１７は熱可塑性プラスチックシートを素材として切断、折り曲げ加工し、ポケット部等要所を熱溶着により接着して所定の形態に形成されているものである。
【００１９】
よって、カード用紙１１の中面１２にスコア記入欄１３などを印刷し、外面１５に広告１６を印刷した本考案のゴルフ用スコアカード１０を透明ケース１７に収めて、カード用紙１１の３本の折り線１８及び透明ケース１７の３本の折り線２９に沿って四つ折りに
し、その状態でプレイ中に使用することができる（図４参照）。この本考案のゴルフ用スコアカード１０を開くと、スコア記入欄１３が露出し、何の支障もなくスコアを記入することができる。表面（外面１５）は美しく印刷及び装飾された広告１６が鮮やかであり、従来のスコアカードとは比較にならない高い付加価値を呈するものである。
【産業上の利用可能性】
【００２０】
スコアカードを、独立した広告媒体としてゴルフ関連業界に展開することができる。
【図面の簡単な説明】
【００２１】
【図１】本考案に係るゴルフ用スコアカードの１例のものの中面を透明ケースとともに示した斜視図。
【図２】図１のものの外面を透明ケースの外面とともに示した斜視図。
【図３】透明カードの展開状態を示す正面図。
【図４】折り畳み状態を示す斜視図。
【符号の説明】
【００２２】
１０  ゴルフ用スコアカード
１１  カード用紙
１２  中面
１３  スコア記入欄
１４  データ欄
１５  外面
１６、１６ａ、１６ｂ、１６ｃ、１６ｄ、１６ｇ、１６ｈ、１６ｉ、１６ｋ、１６ｍ、１６ｎ、１６ｐ  広告
１７  透明ケース
１８  折り線
１９、２１  係止部
２２  カード類
２３  差し込み部
２４  筆記部
２５  小孔
２６  糸片類
２７  小ポケット
２８  データ
２９  折り線
【図１】
0003113545.tif 000003
【図２】
0003113545.tif 000004
【図３】
0003113545.tif 000005
【図４】
0003113545.tif 000006